(57)【要約】【課題】画像送信装置の台数に左右されることなく、これらの画像送信装置から送信される画像を好適に表示させる。【解決手段】レシーバー１０は、接続されているデジタルカメラ３０−１〜３０−ｎの台数に応じて、接続されているデジタルカメラ毎に割り当てる記憶容量を設定し、該記憶容量をバッファ１５ａに確保する。また、レシーバー１０は、フレーム単位で、接続されているデジタルカメラ３０−１〜３０−ｎに対してスルー画像を要求し、該要求に応じて送信されてくるスルー画像を受信して、夫々のデジタルカメラ３０−１〜３０−ｎのために確保したバッファに格納する。また、レシーバー１０は、全てのデジタルカメラ３０−１〜３０−ｎから１フレーム分のスルー画像を受信した後、夫々のスルー画像を画像処理し、表示部１２の一画面上に一覧表示する。【選択図】図１
2018037940.tif 000002
【特許請求の範囲】
【請求項１】
複数の画像送信装置との間で通信する通信手段と、
この通信手段により前記複数の画像送信装置から送信される画像データを受信する受信手段と、
記憶手段と、
前記画像送信装置の数分の領域を前記記憶手段に設定する設定手段と、
この設定手段によって設定された各領域の夫々に各画像送信装置の画像データを割り当てて記憶させるよう前記記憶手段を制御する記憶制御手段と、
を備えることを特徴とする電子機器。
【請求項２】
表示手段と、
前記記憶手段に記憶された前記複数の画像送信装置からの画像データを読み出して、前記表示手段の前記画像送信装置の数に応じて分割した画面上に表示するよう制御する表示制御手段と、
を更に備えたことを特徴とする請求項１記載の電子機器。
【請求項３】
前記設定手段は更に、前記画像送信装置の数に基づいて前記記憶手段に割り当てる記憶容量を設定し、
前記記憶制御手段は、前記受信手段によって受信された画像データを前記設定された記記憶容量を有する記憶領域に記憶させるよう制御することを特徴とする請求項２に記載の電子機器。
【請求項４】
前記受信手段は、前記画像送信装置が新たに画像を取得する度に送信される画像データを受信し、
前記記憶制御手段は、更に新たに画像データが受信されると、個別に画像データを上書き更新するように前記記憶手段を制御することを特徴とする請求項３に記載の電子機器。
【請求項５】
前記表示制御手段は、前記記憶制御手段による更新タイミングとは独立したタイミングで前記記憶手段に記憶された前記複数の画像送信装置の夫々より受信した画像データを一度に更新表示するよう制御することを特徴とする請求項４に記載の電子機器。
【請求項６】
複数の画像送信装置との間で通信を確立する通信確立ステップと、
前記通信確立ステップにて前記複数の画像送信装置から送信される画像データを受信する受信ステップと、
前記画像送信装置の数分の領域を記憶部に設定する設定ステップと、
この設定ステップによって設定された各領域の夫々に各画像送信装置の画像データを割り当てて記憶させるよう前記記憶部を制御する記憶制御ステップと、
を含むことを特徴とする画像データ記憶方法。
【請求項７】
電子機器のコンピュータを、
複数の画像送信装置との間で通信する通信手段、
この通信手段により前記複数の画像送信装置から送信される画像データを受信する受信手段、
前記画像送信装置の数分の領域を記憶部に設定する設定手段、
この設定手段によって設定された各領域の夫々に各画像送信装置の画像データを割り当てて記憶させるよう前記記憶部を制御する記憶制御手段、
として機能させることを特徴とするプログラム。
【請求項８】
複数の画像送信装置と電子機器とからなる撮影システムであって、
前記電子機器は、
前記複数の画像送信装置との間で通信する通信手段と、
この通信手段により前記複数の画像送信装置から送信される画像データを受信する受信手段と、
記憶手段と、
前記画像送信装置の数分の領域を前記記憶手段に設定する設定手段と、
この設定手段によって設定された各領域の夫々に各画像送信装置の画像データを割り当てて記憶させるよう前記記憶手段を制御する記憶制御手段と、を備え、
前記複数の画像送信装置は、各々、
画像取得手段と、
前記画像取得手段によって取得される画像データを前記電子機器に随時送信する送信手段と、
を備えることを特徴とする撮影システム。
【発明の詳細な説明】
【技術分野】
【０００１】
本発明は、電子機器、画像データ記憶方法、プログラム、及び撮影システムに関する。
【背景技術】
【０００２】
従来、複数のカメラと電子機器とを接続し、電子機器に複数のカメラからのライブビューイメージを一覧表示する技術（マルチライブビュー）が知られている。
【０００３】
より具体的には、複数のカメラによって撮影された画像を一画面上に表示する際に、画面分割数に応じて用意した画像処理用のメモリ（ＦＩＦＯ）を用いて、撮影画像をバッファリングすることでメモリ容量を低減する技術が提案されている（例えば特許文献１参照）。
【先行技術文献】
【特許文献】
【０００４】
【特許文献１】特開２０００−１２５２８７号公報
【発明の概要】
【発明が解決しようとする課題】
【０００５】
しかしながら、特許文献１に記載された技術では、接続されているカメラの台数は固定化され、また、これに応じて記憶領域が固定化されている。つまりカメラの台数を変更しても容易には対応できないという問題がある。
【０００６】
本発明は、画像送信装置の台数に左右されることなく、これらの画像送信装置から送信される画像を好適に表示させることを目的とする。
【課題を解決するための手段】
【０００７】
この発明に係る電子機器は、複数の画像送信装置との間で通信する通信手段と、この通信手段により前記複数の画像送信装置から送信される画像データを受信する受信手段と、記憶手段と、前記画像送信装置の数分の領域を前記記憶手段に設定する設定手段と、の設定手段によって設定された各領域の夫々に各画像送信装置の画像データを割り当てて記憶させるよう前記記憶手段を制御する記憶制御手段と、を備えることを特徴とする。
【０００８】
この発明に係る画像データ記憶方法は、複数の画像送信装置との間で通信を確立する通信確立ステップと、前記通信確率ステップにて前記複数の画像送信装置から送信される画像データを受信する受信ステップと、前記画像送信装置の数分の領域を記憶部に設定する設定ステップと、この設定ステップによって設定された各領域の夫々に各画像送信装置の画像データを割り当てて記憶させるよう前記記憶部を制御する記憶制御ステップと、を含むことを特徴とする。
【０００９】
この発明に係るプログラムは、電子機器のコンピュータを、複数の画像送信装置との間で通信する通信手段、この通信手段により前記複数の画像送信装置から送信される画像データを受信する受信手段、前記画像送信装置の数分の領域を記憶部に設定する設定手段、この設定手段によって設定された各領域の夫々に各画像送信装置の画像データを割り当てて記憶させるよう前記記憶部を制御する記憶制御手段、として機能させることを特徴とする。
【００１０】
この発明に係る撮影システムは、複数の画像送信装置と電子機器とからなる撮影システムであって、前記電子機器は、前記複数の画像送信装置との間で通信する通信手段と、この通信手段により前記複数の画像送信装置から送信される画像データを受信する受信手段と、記憶手段と、前記画像送信装置の数分の領域を前記記憶手段に設定する設定手段と、この設定手段によって設定された各領域の夫々に各画像送信装置の画像データを割り当てて記憶させるよう前記記憶手段を制御する記憶制御手段と、を備え、前記複数の画像送信装置は、各々、画像取得手段と、前記画像取得手段によって取得される画像データを前記電子機器に随時送信する送信手段と、を備えることを特徴とする。
【発明の効果】
【００１１】
この発明によれば、画像送信装置の台数に左右されることなく、これらの画像送信装置から送信される画像を好適に表示させることができる。
【図面の簡単な説明】
【００１２】
【図１】本発明の実施形態によるレシーバー１０と複数のデジタルカメラ３０−１〜３０−ｎとを用いた撮影システム１の構成を示すブロック図である。
【図２】本実施形態によるレシーバー１０とデジタルカメラ３０−ｉの構成を示すブロック図である。
【図３】１台当たりのデジタルカメラ３０−ｉに割り当てるバッファ段数に対する処理可能なフレームレートとスループットを示す概念図である。
【図４】本実施形態によるレシーバー１０に接続されるカメラ台数に応じて確保されるバッファ段数（１台当たり）を示す概念図である。
【図５】本実施形態によるレシーバー１０の動作を説明するためのフローチャートである。
【図６】本実施形態による撮影システム１の動作を説明するためのシーケンス図である。
【発明を実施するための形態】
【００１３】
以下、本発明の実施の形態を、図面を参照して説明する。
【００１４】
Ａ．実施形態の構成
図１は、本発明の第１実施形態によるレシーバー１０と複数のデジタルカメラ３０−１〜３０−ｎとを用いた撮影システム１の構成を示すブロック図である。図において、レシーバー１０は、例えば、スマートフォンや、タブレット端末、あるいは専用の端末などからなる。該レシーバー１０は、複数のデジタルカメラ３０−１〜３０−ｎとの間で無線通信（例えばＢｌｕｅｔｏｏｔｈ（登録商標））２０−１〜２０−ｎを行うためのデバイスやプログラムを備えている。なお、本実施形態では、最大７台のデジタルカメラ３０−１〜３０−７（ｎ＝７）が接続されることを想定している。
【００１５】
複数のデジタルカメラ３０−１〜３０−ｎは、基本機能として、撮像する機能（画像を取得する機能）、撮像した画像データを保存する機能、及び、画像データを他のデジタルカメラ又はレシーバー１０に送信する機能を備えている。これら基本機能を備えていれば、光学系の性能（レンズ口径、Ｆ値など）、撮像系の性能（解像度、センササイズなど）、記憶容量などの他の機能については夫々のデジタルカメラ固有であっても構わない。
【００１６】
複数のデジタルカメラ３０−１〜３０−ｎは、上記撮像に関する機能以外に、レシーバー１０との間で無線通信２０−１〜２０−ｎを行うためのデバイスやプログラムを備えている。デジタルカメラ３０−１〜３０−ｎは、無線通信２０−１〜２０−ｎを介して、ライブビューイメージをレシーバー１０に随時、所定のフレームレートで送信する。
【００１７】
レシーバー１０は、専用のプログラム又はアプリケーションを実行することにより、無線通信２０−１〜２０−ｎを用いて、デジタルカメラ３０−１〜３０−ｎとの通信を確立する。レシーバー１０は、複数のデジタルカメラ３０−１〜３０−ｎからの画像データを所定のタイミングで受信し、接続されているデジタルカメラの台数に応じて用意した記憶容量の記憶領域に格納し、更に画像処理を施し、自身の表示部の一画面上に一覧表示（マルチライブビュー）する。画像データの受信方法や、記憶領域の割り当て方法の詳細については後述する。
【００１８】
図２（ａ）は、本実施形態によるレシーバー１０の構成を示すブロック図であり、図２（ｂ）は、本実施形態によるデジタルカメラ３０−ｉ（ｉ＝１〜７）の構成を示すブロック図である。図２（ａ）において、レシーバー１０は、通信部（Ｂｌｕｅｔｏｏｔｈ（登録商標））１１、表示部１２、操作部（タッチパネル）１３、ＲＯＭ１４、ＲＡＭ１５、及び制御部１６を備えている。通信部１１は、Ｂｌｕｅｔｏｏｔｈ（登録商標）を用いて、デジタルカメラ３０−ｉとの間で、各種コマンドやサムネイルデータ、画像データなどを送受信する。
【００１９】
表示部１２は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面などを表示する。操作部（タッチパネル）１３は、指やスタイラス（ペン）などの直接接触、あるいは、近接を検出する。なお、操作部（タッチパネル）１３には、電源ボタンや音量ボタンなどの機械的なスイッチ類が含まれてもよい。
【００２０】
ＲＯＭ１４は、後述する制御部１６により実行されるプログラムや動作等に必要とされる各種パラメータなどを記憶している。ＲＡＭ１５は、後述する制御部１６がプログラムを実行した際の一時的なデータや、各種アプリケーションプログラム、アプリケーションの実行に必要な各種パラメータ、デジタルカメラ３０−１〜３０−ｎから受信した画像データなどを記憶する。特に、以下では、ＲＡＭ１５に確保され、画像データを格納する領域をバッファ１５ａと呼ぶ。
【００２１】
制御部１６は、上述したＲＯＭ１４に記憶されているプログラムを実行することで各部の動作を制御する。特に、本実施形態では、制御部１６は、接続されているデジタルカメラ３０−１〜３０−ｎの台数に応じて、接続されているデジタルカメラ毎に割り当てる記憶容量を設定し、該記憶容量をバッファ１５ａに確保する。また、制御部１６は、フレーム単位で、接続されているデジタルカメラ３０−１〜３０−ｎに対して画像データの送信を要求し、該要求に応じてデジタルカメラ３０−１〜３０−ｎから送信されてくる画像データを受信して、夫々のデジタルカメラに確保したバッファ１５ａの各領域に格納する。また、制御部１６は、接続されている全てのデジタルカメラ３０−１〜３０−ｎからの１フレーム分の画像データを受信した後、夫々の画像データから表示部１２の一画面上に一覧表示するための表示画像を生成して、この表示画像をライブビューイメージとして表示部１２に表示する。
【００２２】
図２（ｂ）において、デジタルカメラ３０−ｉ（ｉ＝１〜７）は、通信部３１、操作部３２、撮像部３３、ＲＯＭ３４、ＲＡＭ３５、記録媒体３６、及び制御部３７を備えている。通信部３１は、Ｂｌｕｅｔｏｏｔｈ（登録商標）を用いて、レシーバー１０との間で画像データを受信したり、各種コマンドなどを送受信する。
【００２３】
操作部３２は、電源スイッチ、シャッタスイッチ、ズームスイッチ、モードキー、ＳＥＴキー、十字キー等の複数の操作キーを含み、ユーザのキー操作に応じた操作信号を出力する。撮像部３３は、光学レンズ群からなるレンズブロックと、ＣＣＤや、ＣＭＯＳなどの撮像素子からなり、レンズブロックから入った画像を撮像素子によりデジタル信号に変換して出力する。
【００２４】
ＲＯＭ３４は、後述する制御部３７により実行されるプログラムや動作等に必要とされる各種パラメータなどを記憶している。ＲＡＭ３５は、撮像部３３によって撮像された画像ファイルを一時記憶するバッファメモリとして使用されるとともに、制御部３７のワーキングメモリとして使用される。記録媒体３６は、撮像された画像ファイルなどを保存する。
【００２５】
制御部３７は、上述したＲＯＭ３４に記憶されているプログラムを実行することで各部の動作を制御する。特に、本実施形態では、制御部３７は、レシーバー１０から画像データの要求を受信する度に、該要求に応じて画像データを送信する。
【００２６】
なお、本実施形態では、デジタルカメラ３０−ｉは、表示部を備えていないが、一般的なデジタルカメラのように液晶表示器や有機ＥＬ（Ｅｌｅｃｔｒｏ  Ｌｕｍｉｎｅｓｃｅｎｃｅ）表示器などからなる表示部を備えていてもよい。
【００２７】
図３は、１台当たりのデジタルカメラ３０−ｉに割り当てるバッファの段数に対する処理可能なフレームレートとスループットを示す概念図である。図３に示すように、レシーバー１０において、１台のデジタルカメラ３０−ｉに割り当てる段数に応じて、処理可能なフレームレート（ｆｐｓ）とスループット（ｂｐｓ）とが変わってくる。すなわち、１台のデジタルカメラ３０−ｉに割り当てる段数を１段とした場合には、処理可能なフレームレートは６ｆｐｓ、スループットは６１０ｋｂｐｓとなる。
【００２８】
同様に、１台のデジタルカメラ３０−ｉに割り当てる段数を２段とした場合には、処理可能なフレームレートは１０ｆｐｓ、スループットは１０４０ｋｂｐｓとなり、３段とした場合には、フレームレートは１３ｆｐｓ、スループットは１４００ｋｂｐｓとなり、４段以上とした場合には、フレームレートは１５ｆｐｓ、スループットは１５００ｋｂｐｓとなる。
【００２９】
つまり、１台のデジタルカメラ３０−ｉに少なくとも４段分の記憶容量をバッファ１５ａに割り当てることができれば、目標とするフレームレート、スループットを得ることができることが分かる。しかし、１台当たりの段数を固定にすると、最大７台のデジタルカメラ３０−１〜３０−７が接続された場合には、４段×７台となってメモリ（ＲＡＭ１５）を圧迫することになり、７台以下の場合には、使用されない領域が出てくるため、メモリの使用効率が悪くなる。そこで、本実施形態では、１０段分の記憶領域を有するバッファ１５ａを用意しておき、１台当たりに割り当てる段数の上限を４段とし、接続されるデジタルカメラ３０−１〜３０−ｎの台数に応じて、１台に割り当てる段数（記憶容量）を動的に変更可能とする。
【００３０】
図４は、本実施形態によるレシーバー１０に接続されるカメラ台数に応じて確保される段数（１台当たり）を示す概念図である。本実施形態では、接続されるデジタルカメラ３０が１〜２台の場合には、１台当たり４段分の記憶容量をバッファ１５ａに割り当てる。また、接続されるデジタルカメラ３０が３台の場合には、１台当たり３段分の記憶容量をバッファ１５ａに割り当てる。また、接続されるデジタルカメラ３０が４〜５台の場合には、１台当たり２段分の記憶容量をバッファ１５ａに割り当て、接続されるデジタルカメラ３０が６〜７台の場合には、１台当たり１段分の記憶容量をバッファ１５ａに割り当てる。なお、全てのケースにおいて、合計は１０段を超えることはないものとする。
【００３１】
このように、接続されるデジタルカメラ３０−１〜３０−ｎの台数に応じて、１台に割り当てる記憶容量を動的に変更可能とすることで、接続される台数が変わっても、目標となるスループットを確保し、かつメモリの容量を圧迫することなく、マルチライブビューを実現することができる。なお、３台以上が接続された場合には、フレームレート、スループット共に低下するが、実用上、ユーザには認知できない程度のフレームレート、スループットは確保されている。なお、必須というわけではないが、３台以上が接続された場合に、転送する画像サイズを小さくすることで、フレームレートへの影響を軽減させるようにしてもよい。
【００３２】
Ｂ．実施形態の動作
次に、上述した実施形態の動作について説明する。
図５は、本第１実施形態によるレシーバー１０の動作を説明するためのフローチャートである。レシーバー１０において、制御部１６は、通信部１１を介して、周辺のデジタルカメラとの接続処理を実行する（ステップＳ１０）。なお、無線通信（Ｂｌｕｅｔｏｏｔｈ（登録商標））による接続手順については既存の技術であるので説明を省略する。次に、制御部１６は、接続した台数に応じて、デジタルカメラ３０−ｉについて１台に割り当てる段数（記憶容量）を設定する（ステップＳ１２）。
【００３３】
すなわち、接続されるデジタルカメラが１〜２台の場合には、１台当たり４段分の記憶容量をバッファ１５ａに割り当てる。また、接続されるデジタルカメラが３台の場合には、１台当たり３段分の記憶容量をバッファ１５ａに割り当てる。また、接続されるデジタルカメラが４〜５台の場合には、１台当たり２段分の記憶容量をバッファ１５ａに割り当て、接続されるデジタルカメラが６〜７台の場合には、１台当たり１段分の記憶容量をバッファ１５ａに割り当てる。
【００３４】
次に、制御部１６は、変数ｉに０を設定することで、画像データの送信を要求するデジタルカメラの台数を０にする（ステップＳ１４）。該変数ｉは、処理対象となるデジタルカメラ３０−ｉを指定するためのカウンタである。次に、制御部１６は、デジタルカメラの台数に相当する変数ｉを１つインクリメントし（ステップＳ１６）、ｉ番目のデジタルカメラ３０−ｉに画像データを転送するように要求する、要求信号を送信する（ステップＳ１８）。
【００３５】
次に、制御部１６は、変数ｉが接続台数ｎ以上になったか否か、すなわち、接続しているデジタルカメラ３０−ｉ全てに要求した（要求信号を送信した）か否かを判断する（ステップＳ２０）。そして、デジタルカメラ３０−ｉ全てに要求していないと判断した場合には（ステップＳ２０のＮＯ）、ステップＳ１６に戻る。以降、変数ｉを１つずつインクリメントしながら、接続されているデジタルカメラ３０−１〜３０−ｎに対して、画像データの送信要求信号を送信する。
【００３６】
そして、デジタルカメラ３０−ｉ全てに画像データの送信を要求したと判断した場合には（ステップＳ２０のＹＥＳ）、制御部１６は、接続されているデジタルカメラ３０−１〜３０−ｎから順次画像データを受信すべく、再び、デジタルカメラの台数を０にする（ステップＳ２２）。
【００３７】
次に、制御部１６は、デジタルカメラの台数に相当する変数ｉを１つインクリメントし（ステップＳ２４）、ｉ番目のデジタルカメラ３０−ｉから画像データを受信したか否かを判断する（ステップＳ２６）。そして、画像データが受信されない場合には（ステップＳ２６のＮＯ）、制御部１６は待機する。
【００３８】
一方、画像データを受信した場合には（ステップＳ２６のＹＥＳ）、制御部１６は、その画像データを、バッファ１５ａの対応する記憶領域に格納する（ステップＳ２８）。
【００３９】
次に、制御部１６は、デジタルカメラ３０−ｉ全てから画像データを受信したか否かを判断する（ステップＳ３０）。そして、デジタルカメラ３０−ｉ全てから画像データを受信していないと判断した場合には（ステップＳ３０のＮＯ）、ステップＳ２６に戻る。以降、変数ｉを１つずつインクリメントしながら、全てのデジタルカメラ３０−１〜３０−ｎから画像データを受信し、バッファ１５ａの対応する記憶領域に格納していく。
【００４０】
そして、デジタルカメラ３０−ｉ全てから画像データを受信したと判断した場合には（ステップＳ３０のＹＥＳ）、制御部１６は、デジタルカメラ３０−１〜３０−ｎからの画像データに対してライブビューイメージを生成し（ステップＳ３２）、表示部１２の一画面上にデジタルカメラ３０−１〜３０−ｎからの画像データから生成されたライブビューイメージを表示する（ステップＳ３４）。
【００４１】
以上の処理が、１フレーム分のスルー画像に対する処理となる。制御部１６は、ステップＳ１４に戻り、次のフレームに対する処理を繰り返す。以降、何らかのイベントによってマルチライブビュー処理が終了するまで、上述したステップＳ１４〜Ｓ３２の処理が繰り返されることになる。この結果、レシーバー１０の表示部１２には、接続されているデジタルカメラ３０−１〜３０−ｎ夫々のライブビューイメージがタイル状に一覧表示される。
【００４２】
図６は、本実施形態による撮影システム１の動作を説明するためのシーケンス図である。図６には、レシーバー１０に２台のデジタルカメラ３０−１、３０−２が接続された場合の撮影システム１の動作を示している。すなわち、デジタルカメラ３０−１、３０−２の各々には、４段分の記憶容量がバッファ１５ａに割り当てられている。
【００４３】
レシーバー１０の制御部１６は、まず、通信部１１を介して、デジタルカメラ３０−１に画像データの要求信号を送信し（ステップＳＳ１）、次いで、デジタルカメラ３０−２に画像データの要求信号を送信する（ステップＳＳ２）。
【００４４】
デジタルカメラ３０−１は、受信した要求信号に応じて、１フレーム分の画像データをレシーバー１０に転送する（ステップＳＳ３）。また、デジタルカメラ３０−２は、受信した要求信号に応じて、１フレーム分の画像データをレシーバー１０に転送する（ステップＳＳ４）。
【００４５】
レシーバー１０の制御部１６は、デジタルカメラ３０−１から転送されてくる１フレーム分の画像データを受信し、バッファ１５ａの対応する記憶領域に格納する。続いて、制御部１６は、デジタルカメラ３０−２から転送されてくる１フレーム分の画像データを受信し、バッファ１５ａの対応する記憶領域に格納する。
【００４６】
次に、レシーバー１０の制御部１６は、デジタルカメラ３０−１、３０−２から受信した画像データからライブビューイメージを生成し、表示部１２（実際には表示部１２を制御する表示制御部）に表示要求を送出する（ステップＳＳ５）。表示部１２では、一画面を２つに分割して夫々の分割領域にライブビューイメージを表示する。
【００４７】
以上の処理が、図５のフローチャートと同様に、１フレーム分に対する処理となる。上述したシーケンスを繰り返すことで、レシーバー１０の表示部１２には、接続されているデジタルカメラ３０−１、３０−２のライブビューイメージがタイル状に表示される。この場合、デジタルカメラ３０−１、３０−２の夫々に４段分の記憶容量をバッファ１５ａに割り当てているので、フレームレート１５ｆｐｓ、スループット１５００ｋｂｐｓで表示される。
【００４８】
なお、図６においては、デジタルカメラ３０−１、３０−２の２台から画像データを受信し、これに基づくライブビューイメージを表示部１２に分割表示するものとしたが、３台、もしくはそれ以上であっても良い。また、例えば表示部１２の画面解像度がＶＧＡ（６４０ｘ４８０（ｐｉｘｅｌ））である場合、制御部１６はデジタルカメラ３０−１、３０−２の２台に対し、ＱＶＧＡ（３２０ｘ２４０（ｐｉｘｅｌ））の画像データの送信を要求する。この要求はデジタルカメラの同時接続台数が４台に増加するまで変わらないが、更に５台以上に増加した場合は、ＱＱＶＧＡ（１６０ｘ１２０（ｐｉｘｅｌ））の画像データの送信を要求する。
【００４９】
このように制御部１６は、同時に接続する台数が多ければ多いほど、送信要求する画像データの解像度を低くするように設定することで、スムーズなマルチライブビューを実現させることができる。
【００５０】
また、本実施の形態においてはライブビューイメージの表示について説明したが、この分割表示された状態をフレームとした動画ファイルとしてＲＡＭ１５の所定の記憶領域に格納しても良いし、キャプチャーイメージ（静止画ファイル）として格納するようにしても良い。
【００５１】
上述した実施形態によれば、レシーバー１０の通信部１１により複数のデジタルカメラ３０−１〜３０−ｎから随時送信される画像データを受信し、複数のデジタルカメラ３０−１〜３０−ｎの台数に基づいて確保されたバッファ１５ａの記憶領域に、随時受信される画像データを個別に記憶するようにしたので、バッファリング処理に影響を及ぼすことなく複数のデジタルカメラ３０−１〜３０−ｎから送信される画像を表示させることができる。
【００５２】
上述した実施形態によれば、バッファ１５ａに記憶された、複数のデジタルカメラ３０−１〜３０−ｎからの画像データを読み出して、表示部１２の、複数のデジタルカメラ３０−１〜３０−ｎの台数に応じて分割した画面上に表示するよう制御するようにしたので、バッファリング処理に影響を及ぼすことなく、複数のデジタルカメラ３０−１〜３０−ｎから送信される画像を表示させることができる。
【００５３】
上述した実施形態によれば、接続された複数のデジタルカメラ３０−１〜３０−ｎの台数に基づいて、複数のデジタルカメラ３０−１〜３０−ｎの各々に割り当てる記憶容量を設定し、受信された画像データを設定された記憶領域に記憶させるようにしたので、メモリ全体の容量を圧迫することなく、かつバッファリング処理に影響を及ぼすことなく、複数のデジタルカメラ３０−１〜３０−ｎから送信される画像を表示させることができる。
【００５４】
上述した実施形態によれば、複数のデジタルカメラ３０−１〜３０−ｎが新たに撮像する度に送信される画像データを受信し、新たに画像データが受信されると、個別に画像データを上書き更新するようにしたので、バッファリング処理に影響を及ぼすことなく、複数のデジタルカメラ３０−１〜３０−ｎから送信される画像を表示させることができる。
【００５５】
上述した実施形態によれば、バッファ１５ａに記憶された画像データの更新タイミングとは独立したタイミングで、バッファ１５ａに記憶された、複数のデジタルカメラ３０−１〜３０−ｎの夫々より受信した画像データを一度に更新表示するようにしたので、バッファリング処理に影響を及ぼすことなく、複数のデジタルカメラ３０−１〜３０−ｎから送信される画像を表示させることができる。
【００５６】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５７】
（付記１）
付記１に記載の発明は、複数の画像送信装置との間で通信する通信手段と、この通信手段により前記複数の画像送信装置から送信される画像データを受信する受信手段と、記憶手段と、前記画像送信装置の数分の領域を前記記憶手段に設定する設定手段と、この設定手段によって設定された各領域の夫々に各画像送信装置の画像データを割り当てて記憶させるよう前記記憶手段を制御する記憶制御手段と、を備えることを特徴とする電子機器である。
【００５８】
（付記２）
付記２に記載の発明は、表示手段と、
前記記憶手段に記憶された前記複数の画像送信装置からの画像データを読み出して、前記表示手段の前記画像送信装置の数に応じて分割した画面上に表示するよう制御する表示制御手段と、を更に備えたことを特徴とする付記１記載の電子機器である。
【００５９】
（付記３）
付記３に記載の発明は、前記設定手段は更に、前記画像送信装置の数に基づいて前記記憶手段に割り当てる記憶容量を設定し、前記記憶制御手段は、前記受信手段によって受信された画像データを前記設定された記記憶容量を有する記憶領域に記憶させるよう制御することを特徴とする付記２に記載の電子機器である。
【００６０】
（付記４）
付記４に記載の発明は、前記受信手段は、前記画像送信装置が新たに画像を取得する度に送信される画像データを受信し、前記記憶制御手段は、更に新たに画像データが受信されると、個別に画像データを上書き更新するように前記記憶手段を制御することを特徴とする付記３に記載の電子機器である。
【００６１】
（付記５）
付記５に記載の発明は、前記表示制御手段は、前記記憶制御手段による更新タイミングとは独立したタイミングで前記記憶手段に記憶された前記複数の画像送信装置の夫々より受信した画像データを一度に更新表示するよう制御することを特徴とする付記４に記載の電子機器である。
【００６２】
（付記６）
付記６に記載の発明は、複数の画像送信装置との間で通信を確立する通信確立ステップと、前記通信確立ステップにて前記複数の画像送信装置から送信される画像データを受信する受信ステップと、前記画像送信装置の数分の領域を記憶部に設定する設定ステップと、この設定ステップによって設定された各領域の夫々に各画像送信装置の画像データを割り当てて記憶させるよう前記記憶部を制御する記憶制御ステップと、を含むことを特徴とする画像データ記憶方法である。
【００６３】
（付記７）
付記７に記載の発明は、電子機器のコンピュータを、複数の画像送信装置との間で通信する通信手段、この通信手段により前記複数の画像送信装置から送信される画像データを受信する受信手段、前記画像送信装置の数分の領域を記憶部に設定する設定手段、この設定手段によって設定された各領域の夫々に各画像送信装置の画像データを割り当てて記憶させるよう前記記憶部を制御する記憶制御手段、として機能させることを特徴とするプログラムである。
【００６４】
（付記８）
付記８に記載の発明は、複数の画像送信装置と電子機器とからなる撮影システムであって、前記電子機器は、前記複数の画像送信装置との間で通信する通信手段と、この通信手段により前記複数の画像送信装置から送信される画像データを受信する受信手段と、記憶手段と、前記画像送信装置の数分の領域を前記記憶手段に設定する設定手段と、この設定手段によって設定された各領域の夫々に各画像送信装置の画像データを割り当てて記憶させるよう前記記憶手段を制御する記憶制御手段と、を備え、前記複数の画像送信装置は、各々、画像取得手段と、前記画像取得手段によって取得される画像データを前記電子機器に随時送信する送信手段と、を備えることを特徴とする撮影システムである。
【符号の説明】
【００６５】
１  撮影システム
１０  レシーバー
１１  通信部
１２  表示部
１３  操作部（タッチパネル）
１４  ＲＯＭ
１５  ＲＡＭ
１５ａ  バッファ
１６  制御部
２０−１〜２０−ｎ  無線通信
３０−１〜３０−ｎ  デジタルカメラ
３１  通信部
３２  操作部
３３  撮像部
３４  ＲＯＭ
３５  ＲＡＭ
３６  記録媒体
３７  制御部
【図１】
2018037940.tif 000003
【図２】
2018037940.tif 000004
【図３】
2018037940.tif 000005
【図４】
2018037940.tif 000006
【図５】
2018037940.tif 000007
【図６】
2018037940.tif 000008